(57)【特許請求の範囲】
【請求項１】
受音開口部を有するユニット収納室を備えたマイク筐体を含み、上記ユニット収納室内にマイクユニットが収納されているとともに、上記受音開口部には防水膜が気密的に設けられている防水型マイクロホンにおいて、
上記マイク筐体には上記ユニット収納室と筐体外部とを連通する通気孔が形成され、その通気孔には非透水性通気膜が設けられていることを特徴とする防水型マイクロホン。
【請求項２】
上記防水膜を支持する支持リングを備え、同支持リングの防水膜支持面側の内周縁には、所定の傾斜角もしくは所定曲率の保護面が形成されていることを特徴とする請求項１に記載の防水型マイクロホン。
【請求項３】
上記防水膜を支持する支持リングを備え、上記防水膜は硬化後においても粘性を発揮する接着手段にて上記支持リングに支持されていることを特徴とする請求項１または２に記載の防水型マイクロホン。
【請求項４】
上記防水膜には、同防水膜の共振防止手段としての微細な凹凸が刻設されていることを特徴とする請求項１，２または３に記載の防水型マイクロホン。
【発明の詳細な説明】
【０００１】
【発明の属する技術分野】
本発明は防水型マイクロホンに関し、さらに詳しく言えば、防水機能を損なうことなく、ユニット収納室内と筐体外部とを圧力的に等価とし得るようにした防水型マイクロホンに関するものである。
【０００２】
【従来の技術】
例えば、ヘッドセット型マイクロホンにおいては、手持ち式マイクロホンと異なり、長時間その使用者の頭部に着用されるため、汗や唾などの液体に晒される機会が多く、それによってマイクユニットが悪影響を受けることがある。
【０００３】
また、それ以外にも、例えば特にカラオケ用のマイクロホンの場合には、周囲に飲み物があるため、誤ってその飲み物内に入れられたり、ビールなどの液体がかぶせられたりすることがある。
【０００４】
このため、従来においては、図５に例示されているように、マイク筐体１のユニット収納室１ａ内にマイクユニット２を収納するにあたって、そのマイク筐体１の受音開口部１ｂを防水膜３にてカバーするとともに、例えばヘッドセットの支持アーム４とマイク筐体１との間にＯリング５ａを介在させて、ユニット収納室１ａに気密性を持たせるようにしている。
【０００５】
この場合、良好な感度、周波数特性および指向性を得るため、防水膜３には音波の通過時にその振動エネルギーの損失の少ないきわめて薄い例えば、ポリエチレンやポリエチレンテレフタレートなどのプラスチックフィルムが用いられている。
【０００６】
また音響特性上、防水膜３はほとんどテンションがかけられない状態で支持リング３ａに張設され、その支持リング３ａを介して受音開口部１ｂに取り付けられる。なお、支持リング３ａとマイク筐体１との間にもＯリング５ｂが設けられる。
【０００７】
【発明が解決しようとする課題】
しかしながら、ユニット収納室１ａ内は、防水膜３とＯリング５ａ，５ｂとによりほぼ完全に密閉されているため、外界の気圧変化や内部温度変化などに起因する内外の圧力差が防水膜３にかかる。
【０００８】
これにより、防水膜３がピンと張られた状態となって共振点を持つことになるため、音響特性に悪影響を与えることになる。また、最悪の場合には、防水膜３が破損するケースも予想される。
【０００９】
これを防止するため、ユニット収納室の内容積を大きくしたり、また、受音部の容積を大きくできない場合には、例えば実公平７−２８７９３号公報に提案されているように、その受音部をバイパス通路などによりマイク筐体内の別の容積の大きい部分と連通させるようにしている。
【００１０】
しかしながら、これらの方法はあくまでユニット収納室内の密閉を保つことを前提としているため、基本的に内外の圧力差の問題は解消されない。なお、防水膜そのものに通気性を持たせることも考えられるが、実使用上において、音響的に満足のいく素材は今のところ見当たらない。
【００１１】
本発明は、このような課題を解決するためになされたもので、その目的は、防水性および音響特性などを損なうことなく、ユニット収納室内と筐体外部とを圧力的に等価とすることができるようにした防水型マイクロホンを提供することにある。
【００１２】
【課題を解決するための手段】
上記目的を達成するため、本発明は、受音開口部を有するユニット収納室を備えたマイク筐体を含み、上記ユニット収納室内にマイクユニットが収納されているとともに、上記受音開口部には防水膜が気密的に設けられている防水型マイクロホンにおいて、上記マイク筐体には上記ユニット収納室と筐体外部とを連通する通気孔が形成され、その通気孔には非透水性通気膜が設けられていることを特徴としている。
【００１３】
これによれば、通気孔によりマイク筐体内と外部とが連通しているため、内外の圧力差が生じない。したがって、防水膜に過大なテンションがかけられることはない。また、通気孔には非透水性通気膜が設けられているため、外部からマイク筐体内に水分が入り込むこともない。
【００１４】
本発明において、上記防水膜を支持する支持リングの防水膜支持面側の内周縁に、所定の傾斜角もしくは所定曲率の保護面が形成されていることが好ましく、これによれば、防水膜の破断が効果的に防止される。
【００１５】
また、上記防水膜は硬化後においても粘性（弾力性）を発揮する接着手段にて上記支持リングに支持されていることが好ましい。これによれば、仮に防水膜にテンションがかけられても、接着手段の粘性にてそのテンションが緩衝されることになる。
【００１６】
上記防水膜には、同防水膜の共振防止手段としての微細な凹凸が刻設されている態様も本発明に含まれる。
【００１７】
【発明の実施の形態】
次に、本発明を図面に示されている実施例に基づいてより詳しく説明する。
【００１８】
図１の断面図およびその分解組立図である図２を参照すると、この実施例に係る防水型マイクロホン１０はヘッドセット用であり、ヘッドセットの支持アーム４に取り付けられるマイクケース（筐体）１１を備えている。
【００１９】
この実施例において、マイクケース１１は支持アーム４の端部に装着されるケース本体１２と、同ケース本体１２の背面側（図２において上面側）に対してネジ止めされるケースカバー１３とからなる。ケースカバー１３は、ケース本体１２に対する配線作業を容易にするため取り外し可能になっており、ケースカバー１３の内面にはゴムなどのシール材１３１が設けられている。
【００２０】
ケース本体１２の端部には円筒状のユニット収納部１４が形成されている。このユニット収納部１４の一端側（図２において下面側）の開口部は、話者の口元側に向けられる前方受音開口部１４１となっており、同前方受音開口部１４１には、ケース本体１２の一部分を構成するケースリング１２１が螺合されている。
【００２１】
この実施例によると、ユニット収納部１４の他端側にも後方受音開口部１４２が形成されている。図示されていないが、前方受音開口部１４１および後方受音開口部１４２には、撥水性のメッシュ（網体）が取り付けられている。
【００２２】
ユニット収納部１４内にはマイクユニット１５が収納されている。この場合、マイクユニット１５は単一指向性ユニットである。このために、ユニット収納部１４には、上記したように前方受音開口部１４１のほかに後方受音開口部１４２が設けられている。
【００２３】
マイクユニット１５には合成樹脂製の筒状スペーサ１６が被せられており、この筒状スペーサ１６を介してユニット収納部１４内の所定位置に保持されている。また、マイクユニット１５には、同マイクユニット１５から電気信号を取り出すための回路基板１５１が取り付けられている。
【００２４】
マイクユニット１５の背面側、すなわちユニット収納部１４の後方受音開口部１４２側には、Ｏリング１７１と防水膜１８とが配置されている。また、マイクユニット１５の前面側、すなわちユニット収納部１４の前方受音開口部１４１側にもＯリング１７２と防水膜１９とが配置されている。この実施例では、さらにユニット収納部１４の外側でケースリング１２１とケース本体１２との間にもＯリング１７３が介装されている。
【００２５】
ユニット収納部１４の側壁には、その内外すなわち同ユニット収納部１４の内部と同ユニット収納部１４の外部とを連通する通気孔２１が穿設されており、同通気孔２１には圧力等価膜２２が設けられている。なお、この圧力等価膜２２の取付位置はユニット収納部１４の内外のいずれでもよい。
【００２６】
この圧力等価膜２２には、非透水性通気膜が用いられている。現在、この種の非透水性通気膜は各メーカーから製品が出されているが、この実施例では、日東電工社製のミクロテックスＮＴＦ１０２６−ＣＯ２（商品名）相当品を用いている。
【００２７】
なお、この実施例においては、マイクユニット１５に筒状スペーサ１６が被せられているため、筒状スペーサ１６にも通気孔２１に対応する通気孔１６１が設けられている。
【００２８】
このように、本発明においては、ユニット収納部１４の側壁にその内外を連通する通気孔２１を設けたことにより、外気の圧力変動などによる外気とユニット収納部１４内の圧力差をほとんど無くすことができる。
【００２９】
しかも、通気孔２１には圧力等価膜２２としての非透水性通気膜が設けられているため、防水性が損なわれることはない。したがって、防水膜１８，１９の張設状態を一定に保つことが可能となり、良好な防水性と音響特性とを維持することができる。
【００３０】
また、詳しくは図示されていないが、筒状スペーサ１６の外表面には金属メッキが施されており、同金属メッキの一部分が回路基板１５１の接地ラインと接続されている。このようにして、筒状スペーサ１６はマイクユニット１５の電磁シールドとしても用いられている。
【００３１】
各防水膜１８，１９は、例えばポリエチレンやポリエチレンテレフタレートなどのきわめて薄い（例えば、４μｍ厚）プラスチックフィルムからなり、ともに支持リング２０，２０に支持されている。
【００３２】
各支持リング２０，２０は同一構成であるため、その一方について図３を参照して説明すると、支持リング２０は例えばリン青銅もしくはステンレスなどの金属材からなり、その一方の面側に防水膜１８，１９が図示しない接着剤を介して取り付けられるが、防水膜支持面２０１側の内周縁（エッジ）には、所定曲率の凸湾曲面２０２が形成されている。
【００３３】
この凸湾曲面２０２は防水膜１８，１９に対する保護面であり、これにより、例えば防水膜１８，１９が外部からの圧力にて図示鎖線のように支持リング２０の内側に向けてテンションがかけられても、そのエッジ部分で切断されることがないようにしている。なお、この保護面は、図４に示されているような所定の傾斜角のテーパ面２０３であってもよい。
【００３４】
また、防水膜１８，１９は、接着剤を介して支持リング２０にほとんどテンションのない緩く張られた状態で張設されるが、この実施例では、その接着剤として硬化後においても適度な粘性（弾力性）を発揮するもの、すなわち硬化後の硬度が柔らかい例えばシリコンゴム系接着剤もしくは２液性エポキシ系接着剤などを用いている。
【００３５】
これによれば、仮に防水膜１８，１９に外部圧力などにてテンションがかけられたとしても、その粘性によりテンションが緩衝されることになるため、防水膜１８，１９が過大なテンションから効果的に保護される。
【００３６】
また、詳しくは図示されていないが、防水膜１８，１９には例えばシボ転写加工などにより微細な凹凸が刻設されており、これにより、各防水膜１８，１９の共振を抑えるようにしている。
【００３７】
なお、上記実施例ではマイクユニット１５に単一指向性ユニットを用いているため、ユニット収納部１４の背面側にも後方受音開口部１４２が設けられているが、マイクユニット１５が無指向性である場合には、後方受音開口部１４２は不要であり、それに伴なって、ユニット収納部１４の背面側のＯリング１７１および防水膜１８も不要となる。
【００３８】
また、上記実施例はヘッドセット用の防水型マイクロホンについてのものであるが、本発明はこれに限定されるものでなく、他の防水型マイクロホンにも適用可能であることは言うまでもない。
【００３９】
【発明の効果】
以上説明したように、本発明によれば、マイク筐体にユニット収納室と筐体外部とを連通する通気孔を形成するとともに、その通気孔に圧力等価膜としての非透水性通気膜を設けたことにより、防水性および音響特性を損なうことなく、ユニット収納室内と筐体外部とを圧力的に等価とすることができる。
【００４０】
また、防水膜を支持する支持リングの防水膜支持面側の内周縁に、所定の傾斜角もしくは所定曲率の保護面を形成することにより、テンション負荷時における防水膜の破断が効果的に防止される。
【００４１】
さらに、防水膜を接着剤にて支持リングに取り付ける場合、硬化後においても粘性を発揮する接着剤を用いることにより、仮に防水膜にテンションがかけられても、その粘性にてテンションが緩衝されることになるため、これによってもテンション負荷時における防水膜の破断が効果的に防止される。
【００４２】
また、防水膜に微細な凹凸を刻設することにより、膜単体での共振が抑えられ、良好な音響特性を維持することができる。
【図面の簡単な説明】
【図１】本発明の一実施例に係る防水型マイクロホンを示した断面図。
【図２】上記実施例の分解組立図。
【図３】上記実施例中の防水膜支持リングを示した断面図。
【図４】上記防水膜支持リングの変形例を示した断面図。
【図５】従来例としての防水型マイクロホンを概略的に示した断面図。
【符号の説明】
１０  防水型マイクロホン
１１  マイクケース
１２  ケース本体
１３  ケースカバー
１４  ユニット収納部
１４１  前方受音開口部
１４２  後方受音開口部
１５  マイクユニット
１６  筒状スペーサ
１７１，１７２，１７３  Ｏリング
１８，１９  防水膜
２０  支持リング
２１  通気孔
２２  圧力等価膜（非透水性通気膜）
【図１】
0003955686.tif 000002
【図２】
0003955686.tif 000003
【図３】
0003955686.tif 000004
【図４】
0003955686.tif 000005
【図５】
0003955686.tif 000006